(57)【要約】【課題】シートと床面との間からの浸水を抑制できる開口部の防水装置及び防水装置のシートを提供すること。【解決手段】構造物Ｓの屋内側と屋外側とを連通しかつ開閉体４によって開閉される開口部Ｏに設置されるシート１０と、シート１０を開閉体４よりも屋外側の位置で構造物Ｓに対して保持する保持部材２０と、止水ゴム５０を備え、保持部材２０は、シート１０が開閉体４の鉛直方向下端側の所定部４１と、構造物Ｓのうち所定部４１に隣接する部分とを一体に覆うことで開口部Ｏの鉛直方向下端側を閉塞し、かつシート下部１３が幅木５の表面５ａ及び床面６に沿って屋外側に向けて延在するようにシート１０を保持し、止水ゴム５０は、シート下部１３の床面６に対向する面に取り付けられている。【選択図】図１
2014177804.tif 000002
【特許請求の範囲】
【請求項１】
構造物の屋内側と屋外側とを連通し、かつ開閉体によって開閉される開口部に設置されるシートと、
前記シートが前記開閉体の鉛直方向下端側の所定部と、前記構造物のうち前記所定部に隣接する部分とを一体に覆うことで前記開口部の鉛直方向下端側を閉塞し、かつ前記シートの鉛直方向下端部が床面に沿って屋外側に向けて延在するように、前記シートを前記開閉体よりも屋外側に位置付けて、前記シートの幅方向の端を保持する保持部材と、
前記シートの幅方向の全長に亘って、前記鉛直方向下端部の前記床面に対向する面に取り付けられている止水ゴムと、を備える
ことを特徴とする開口部の防水装置。
【請求項２】
前記シートの幅方向の端には、前記シートとともに前記保持部材に保持される心材が、配置され、
前記止水ゴムが、前記心材よりも下方に配置される
ことを特徴とする請求項１に記載の開口部の防水装置。
【請求項３】
前記心材の下端部が前記止水ゴム上に配置される
ことを特徴とする請求項２に記載の開口部の防水装置。
【請求項４】
構造物の屋内側と屋外側とを連通する開口部を開閉する開閉体の鉛直方向下端側の所定部と、前記構造物のうち前記所定部に隣接する部分とを一体に覆うことで前記開口部の鉛直方向下端側を閉塞し、かつ鉛直方向下端部が床面に沿って屋外側に向けて延在するように、前記開閉体よりも屋外側に位置付けられて、幅方向の端が保持部材に保持されるシートにおいて、
幅方向の全長に亘って、前記鉛直方向下端部の前記床面に対向する面に止水ゴムが取り付けられている
ことを特徴とする防水装置のシート。
【請求項５】
前記シートの幅方向の端には、前記シートとともに前記保持部材に保持される心材が、配置され、
前記止水ゴムが、前記心材よりも下方に配置される
ことを特徴とする請求項４に記載の防水装置のシート。
【請求項６】
前記心材の下端部が前記止水ゴム上に配置される
ことを特徴とする請求項５に記載の防水装置のシート。
【発明の詳細な説明】
【技術分野】
【０００１】
本発明は、開口部の防水装置及び防水装置のシートに関する。
【背景技術】
【０００２】
従来、開閉体によって開閉される開口部からの浸水を抑制する技術が提案されている。例えば、特許文献１には、開閉体としてのシャッタの裏面には屈曲自在な防水シートが設けられていると共に、防水シートと対向するようにしてガイド部材にはシール部材が設けられ、シャッタに浸水しようとする氾濫水等の水圧がシャッタの表面に作用すると、防水シートがシール部材に圧接されるようになっている、浸水防止機能を備えたシャッタ装置の技術が開示されている。
【先行技術文献】
【特許文献】
【０００３】
【特許文献１】特許第４４５９７４０号公報
【発明の概要】
【発明が解決しようとする課題】
【０００４】
前述した特許文献１に示された技術では、開口部からの浸水を抑制することについて、なお改良の余地がある。例えば、シャッタとガイド部材との隙間以外の経路からも水が浸入する可能性がある。このために、シャッタの表面側に防水シートを保持部材により保持することが提案されている。この場合、床面とシートとの間からの浸水を抑制できることに改良の余地がある。
【０００５】
本発明の目的は、シートと床面との間からの浸水を抑制できる開口部の防水装置及び防水装置のシートを提供することである。
【課題を解決するための手段】
【０００６】
本発明の開口部の防水装置は、構造物の屋内側と屋外側とを連通し、かつ開閉体によって開閉される開口部に設置されるシートと、前記シートが前記開閉体の鉛直方向下端側の所定部と、前記構造物のうち前記所定部に隣接する部分とを一体に覆うことで前記開口部の鉛直方向下端側を閉塞し、かつ前記シートの鉛直方向下端部が床面に沿って屋外側に向けて延在するように、前記シートを前記開閉体よりも屋外側に位置付けて、前記シートの幅方向の端を保持する保持部材と、前記シートの幅方向の全長に亘って、前記鉛直方向下端部の前記床面に対向する面に取り付けられている止水ゴムと、を備えることを特徴とする。
【０００７】
上記開口部の防水装置では、シートの幅方向の全長に亘って、鉛直方向下端部の床面に対向する面に止水ゴムを設けているので、床面に凹凸があったり、床面とシートの鉛直方向下端部との間に異物が存在しても、止水ゴムが凹凸や異物の形状に応じて変形する。
【０００８】
上記開口部の防水装置において、前記シートの幅方向の端には、前記シートとともに前記保持部材に保持される心材が、配置され、前記止水ゴムが、前記心材よりも下方に配置されることが好ましい。
【０００９】
上記開口部の防水装置では、止水ゴムが心材よりも下方に配置されるので、止水ゴムが床面とシートの鉛直方向下端部との間に確実に配置される。
【００１０】
上記開口部の防水装置において、前記心材の下端部が前記止水ゴム上に配置されることが好ましい。
【００１１】
上記開口部の防水装置では、心材の下端部が止水ゴム上に配置されているので、保持部材と床面との間に隙間があっても、この隙間を互いに重なる心材の下端部と止水ゴムとで埋めることができる。
【００１２】
本発明の防水装置のシートは、構造物の屋内側と屋外側とを連通する開口部を開閉する開閉体の鉛直方向下端側の所定部と、前記構造物のうち前記所定部に隣接する部分とを一体に覆うことで前記開口部の鉛直方向下端側を閉塞し、かつ鉛直方向下端部が床面に沿って屋外側に向けて延在するように、前記開閉体よりも屋外側に位置付けられて、幅方向の端が保持部材に保持されるシートにおいて、幅方向の全長に亘って、前記鉛直方向下端部の前記床面に対向する面に止水ゴムが取り付けられていることを特徴とする。
【００１３】
上記防水装置のシートでは、幅方向の全長に亘って、鉛直方向下端部の床面に対向する面に止水ゴムを設けているので、床面に凹凸があったり、床面と鉛直方向下端部との間に異物が存在しても、止水ゴムが凹凸や異物の形状に応じて変形する。
【００１４】
上記防水装置のシートにおいて、前記シートの幅方向の端には、前記シートとともに前記保持部材に保持される心材が、配置され、前記止水ゴムが、前記心材よりも下方に配置されることが好ましい。
【００１５】
上記防水装置のシートでは、止水ゴムが心材よりも下方に配置されるので、止水ゴムが床面とシートの鉛直方向下端部との間に確実に配置される。
【００１６】
上記防水装置のシートにおいて、前記心材の下端部が前記止水ゴム上に配置されることが好ましい。
【００１７】
上記防水装置のシートでは、心材の下端部が止水ゴム上に配置されているので、保持部材と床面との間に隙間があっても、この隙間を互いに重なる心材の下端部と止水ゴムとで埋めることができる。
【発明の効果】
【００１８】
本発明に係る開口部の防水装置及び防水装置のシートは、シートと床面との間からの浸水を抑制できるという効果を奏する。
【図面の簡単な説明】
【００１９】
【図１】図１は、本発明の実施形態に係る開口部の防水装置を示す斜視図である。
【図２】図２は、実施形態に係る開口部の防水装置により防水される開口部などを示す斜視図である。
【図３】図３は、実施形態に係る開口部の防水装置のシートの屋内側からみた平面図である。
【図４】図４は、図３中のＩＶ−ＩＶ線に沿う断面図である。
【図５】図５は、実施形態の変形例に係る開口部の防水装置を示す斜視図である。
【図６】図６は、図５中のＶＩ−ＶＩ線に沿う断面図である。
【発明を実施するための形態】
【００２０】
以下に、本発明の実施形態に係る開口部の防水装置につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００２１】
［実施形態］
図１から図４を参照して、実施形態について説明する。本実施形態は、構造物の開口部を防水する開口部の防水装置に関する。図１は、本発明の実施形態に係る開口部の防水装置を示す斜視図、図２は、実施形態に係る開口部の防水装置により防水される開口部などを示す斜視図、図３は、実施形態に係る開口部の防水装置のシートの屋内側からみた平面図、図４は、図３中のＩＶ−ＩＶ線に沿う断面図である。
【００２２】
建物等の構造物の外部開口部には、開閉体としての開閉扉が付けられることが多い。例えば、洪水時などに浸水すると商品が毀損されやすい店舗等の入口にもガラスなどで構成された開閉扉が付けられていることが多い。開閉扉には、扉間及び各扉と開口部との間に隙間があるために、ゲリラ豪雨や洪水時には隙間を介した浸水によって店舗等の施設が被害に遭う可能性がある。
【００２３】
浸水対策として、開閉扉の下部を防水板（パネル）に変更する方法も考えられるが、一般的に高額となりやすいため、ユーザーにとって受け入れにくい場合がある。
【００２４】
本実施形態の開口部の防水装置１は、開閉扉の前にシートを設置して、簡易的にかつ安価に止水することを可能とする。シートは、開閉扉とその周囲の構造物とを一体に覆うことで、開閉扉と構造物との隙間を閉塞し、適切に止水することができる。よって、本実施形態の開口部の防水装置１によれば、水害による建物内部の被害を軽減することができる。
【００２５】
図１に示す開口部の防水装置１は、構造物Ｓの開口部Ｏ（図２に示す）を閉塞し、屋外側から屋内側への水の浸入を抑制するものである。構造物Ｓは、例えば、工場、倉庫、車庫、店舗、家屋等の建築構造物であり、開口部Ｏを有している。開口部Ｏは、構造物Ｓの壁部等に形成されており、構造物Ｓの屋外側と屋内側とを連通している。
【００２６】
屋内側、屋外側とは説明上分かりやすくするための便宜上の表現であって、屋外側とは、水が浸入する場合の上流側のことであり、屋内側とは、上流側から水が浸入する可能性がある側であり、本発明においては水が浸入してくるのを阻止や抑制したい側のことである。開閉扉や壁等とともに開口部の防水装置１を、例えば単なる道路の防水用仕切りとして使用したり、外部空間における門等の箇所に取り付ける等のように、家屋や部屋等の概念がない箇所に設けても良い。また、開口部Ｏは、前述の屋外側と屋内側とを連通するものとすることができる。本実施形態の開口部Ｏは、構造物Ｓの外殻をなす壁部３に形成されており、壁部３を貫通して構造物Ｓの屋外と屋内とを連通している。なお、これに限らず、開口部Ｏは、構造物Ｓの内部を仕切る壁部に形成されたものであってもよい。
【００２７】
開閉扉４は、開口部Ｏを開閉する開閉体である。開閉扉４は、図２に示すように、開閉方向、本実施形態では左右水平方向に移動する一対の扉４ａ，４ｂを備えている。本実施形態では、構造物Ｓの開口部Ｏの周りの壁部３は、ガラスなどの透明又は半透明の材料で構成されている。
【００２８】
開閉扉４の一対の扉４ａ，４ｂは、図示しないガイドレールによって案内される。ガイドレールは、開口部Ｏの上下両端に設けられ、壁部３の表面である壁面３ａ，３ｂに平行である。なお、壁面３ａ，３ｂは、開口部Ｏの幅方向に互いに並べられて、互いの間に開口部Ｏを位置付ける。扉４ａ，４ｂの上下方向の両端部は、それぞれガイドレールの溝部に挿入されている。溝部は、開閉方向即ち左右水平方向に延在しており、扉４ａ，４ｂを開閉方向、即ち、左右方向に移動自在に案内する。また、本実施形態では、壁部３及び扉４ａ，４ｂの下端部には、壁部３及び扉４ａ，４ｂよりも厚い幅木５，７が設けられている。なお、本発明でいう床面とは、説明上分かりやすくするための便宜上の表現であって、通常の床面６のみならず、コンクリート面や地面等の開口部Ｏの下方に位置する面及び幅木５の表面５ａを総称する。
【００２９】
開閉扉４は、一対の扉４ａ，４ｂが互いに近付いて開口部Ｏを閉塞し、一対の扉４ａ，４ｂが互いに離間して開口部Ｏを開放する。扉４ａ，４ｂの移動は、手動でなされても、モータ等の駆動装置によって自動でなされてもよい。本実施形態の開閉扉４は、一対の扉４ａ，４ｂ、ガイドレールなどを有する。
【００３０】
図１に戻り、開口部の防水装置（以下、防水装置と呼ぶ）１は、シート１０、保持部材２０、押圧部材３０及び止水ゴム５０を備える。シート１０は、開口部Ｏに設置されるものであり、開口部Ｏの鉛直方向下端側の領域を閉塞することが可能な幅および長さを有している。シート１０の形状は、例えば、矩形である。シート１０は、遮水性を有しており、開口部Ｏの防水シートとして機能することができる。また、シート１０は、可撓性を有しており、伸縮可能であってもよい。シート１０の素材は、例えば、樹脂、ゴム、表面を樹脂などでコーティングした布とすることができる。本実施形態では、シート１０は、素材が透明又は半透明な樹脂で構成され、表面にエンボス加工が施された所謂梨地クリアである。シート１０は、厚みが０．２ｍｍでかつ硬度が♯４６０である。シート１０は、水圧による開閉扉４等の開閉体の変形に追従できる素材で構成されることが好ましい。
【００３１】
シート１０の幅は、開閉扉４の幅よりも大きい。また、シート１０の幅は、開口部Ｏの幅Ｗ（図２参照）、言い換えると壁面３ａと壁面３ｂとの距離よりも大きいことが好ましい。シート１０の鉛直方向の長さは、対応すべき水深に基づいて定められている。すなわち、開閉扉４の下端から鉛直方向上側に向けてどの範囲をシート１０によって覆い防水するかに基づいてシート１０の全長が定められている。以下の説明では、開閉扉４においてシート１０によって覆われるべき部分を「所定部」（図１の符号４１参照）と称する。所定部４１は、開閉扉４の鉛直方向下端側の部分である。
【００３２】
保持部材２０は、シート１０を開閉扉４よりも屋外側に位置付けて構造物Ｓに対して保持する。より詳しくは、保持部材２０は、開閉扉４の所定部４１と、構造物Ｓのうち所定部４１に隣接する部分とを一体に覆うことで開口部Ｏの鉛直方向下端部を閉塞させるようにシート１０を保持する。また、保持部材２０は、シート１０の鉛直方向下端部が幅木５の表面５ａ及び床面６に沿って屋外側に向けて延在するようにシート１０の幅方向の両端を保持する。これにより、シート１０は、開閉扉４が有する隙間や開閉扉４と構造物Ｓとの隙間を塞ぎ、屋内側への浸水を抑制することができる。なお、本明細書では、シート１０の鉛直方向下端部であって、シート１０が保持部材２０によって保持された状態で床面６及び幅木５の表面５ａに沿って延在する部分を、以下「シート下部１３」と記載する。
【００３３】
図１に示すように、保持部材２０は、アルミニウム合金等で構成され、一対設けられている。保持部材２０は、壁面３ａ，３ｂにそれぞれ取り付けられている。保持部材２０は、断面Ｃ字形状のＣ字状部２１と、Ｃ字状部２１に連なった平板状部２２とを備えている。保持部材２０のＣ字状部２１は、互いに対向する面にスリット２１ａが形成されている。平板状部２２は、Ｃ字状部２１のスリット２１ａの背面側に連なり、壁面３ａ，３ｂに取り付けられる。保持部材２０は、鉛直方向に延在しており、開閉扉４の所定部４１に対応する範囲に配置されている。すなわち、保持部材２０は、開閉扉４の下端から所定部４１の上端までの範囲に対応して配されている。なお、本発明では、保持部材２０は、防水装置１の防水性能等の使用上の問題がないような実質的な意味で開閉扉４の所定部４１に対応していればよく、例えば、保持部材２０の上端は必ずしも所定部４１の上端と一致せず、若干下側に位置していてもよい。
【００３４】
シート１０の幅方向の両端には、それぞれ心材１１が配置されている。心材１１は、軽量でかつ可撓性を有する素材、例えば樹脂素材で形成されている。心材１１は、シート１０の幅方向の両端の上端から所定部４１の下端に対応する箇所、即ち、シート１０の幅方向の両端のシート下部１３を除く箇所に配置されている。心材１１は、シート１０の長さ方向（鉛直方向）に延在している。心材１１は、断面矩形の平板形状であり、シート１０の壁面３ａ，３ｂ及び扉４ａ，４ｂに相対する面に設けられ、保持部材２０のＣ字状部２１に挿入可能である。保持部材２０のＣ字状部２１のスリット２１ａの幅は、シート１０と心材１１をあわせた厚みよりも小さいため、心材１１がスリット２１ａを介してＣ字状部２１から抜け出ることが規制される。なお、心材１１は、断面矩形のものには限定されず、例えば、断面が多角形状や円形のものであってもよい。
【００３５】
押圧部材３０は、シート１０のシート下部１３に配置されて、シート１０を構造物Ｓに向けて押圧するものであり、例えばシート１０を幅木５の表面５ａ、床面６及び壁面３ａ，３ｂに向けて押圧する。押圧部材３０は、図１に示すように、シート下部１３上の開口部Ｏの幅方向に沿って連続的に配置される。押圧部材３０は、隙間無く配置されても、隣接する押圧部材３０間に所定の隙間を設けて配置されても良い。押圧部材３０は、棒状あるいは板状であることが好ましい。本実施形態に係る押圧部材３０は、板状のフラットバーである。押圧部材３０は、例えば、金属製であり、浮力に抗してシート１０のシート下部１３を床面６及び壁面３ａ，３ｂに向けて押圧することができる質量や密度を有している。また、押圧部材３０は、シート下部１３に対向する面に図示しないスポンジゴムで構成された止水シートを貼り付けている。押圧部材３０は、シート下部１３が幅木５の表面５ａ及び床面６に沿って配置された後でシート下部１３上に設置される。
【００３６】
止水ゴム５０は、屋内への浸水を抑制するものである。止水ゴム５０は、発泡ゴムなどの防水性と弾性を有した合成樹脂で構成され、図１及び図３に示すように、シート１０のシート下部１３の幅木５の表面５ａ及び床面６に対向する面に取り付けられて、あたかもシート１０に一体に形成されている。止水ゴム５０は、図３に示すように、シート１０のシート下部１３の幅方向の全長に亘って設けられている。止水ゴム５０は、シート下部１３に設けられることで、心材１１の下方に配置される。また、止水ゴム５０上には、図４に示すように、心材１１の下端部１１ａが配置されている。止水ゴム５０は、断面矩形の平板形状である。止水ゴム５０は、シート１０の両端と心材１１が保持部材２０に保持されると、幅木５の表面５ａ及び床面６上に配置される。
【００３７】
シート１０を開口部Ｏに設置する場合、即ち、防水装置１を組み立てる場合、まず、保持部材２０を壁面３ａ，３ｂに取り付ける。そして、シート１０の幅方向の両端及び心材１１を、保持部材２０の上端からＣ字状部２１内に挿入し、シート１０の両端及び心材１１を保持部材２０の下端に向けてＣ字状部２１内を移動する。そして、シート１０の両端及び心材１１が保持部材２０のＣ字状部２１に挟持され、シート１０の心材１１が設けられていないシート下部１３を、保持部材２０の下端に設けられた間隙を通して、床面６上に引き出し、幅木５の表面５ａ及び床面６に沿って屋外側に向けて延在される。
【００３８】
すると、シート１０の幅は、開口部Ｏの幅Ｗ（図２参照）よりも大きく、以下に示すような幅に設定している。すなわち、シート１０の両端が保持部材２０によって保持された状態で、シート１０は、たるみを有している。つまり、保持部材２０は、シート１０がたるみを有した状態でシート１０を保持し、シート１０が保持部材２０よりも開閉扉４側に向けて撓んで所定部４１と接触することを許容する。従って、シート１０が保持部材２０によって保持された状態で、シート１０を壁面３ａ，３ｂおよび開閉扉４の各扉４ａ，４ｂに沿わせ、壁面３ａ，３ｂおよび開閉扉４の各扉４ａ，４ｂと互いに接触した状態に設置することが可能である。なお、保持部材２０に保持され、かつ水圧がかかる前の状態において、シート１０が開閉扉４の各扉４ａ，４ｂおよび壁面３ａ、３ｂに密着可能な程度のたるみを有していることが好ましい。
【００３９】
また、シート１０の鉛直方向の長さは、開閉扉４の所定部４１の鉛直方向の長さよりも長く、以下に示すような長さに設定している。すなわち、シート１０が保持部材２０によって保持された状態で、シート下部１３を床面６上に垂らし、幅木５の表面５ａ及び床面６に沿わせることが可能である。シート１０は、このシート下部１３を幅木５の表面５ａ及び床面６に沿って屋外側に向けて延在させ、止水ゴム５０が幅木５の表面５ａ及び床面６に重なった状態で設置される。言い換えると、シート１０は、シート下部１３に設けられた止水ゴム５０が幅木５の表面５ａ及び床面６と互いに対向し、かつシート下部１３が先端側へ向かうに従い開閉扉４から離間するように配置される。
【００４０】
そして、押圧部材３０をシート下部１３上に配置する。すると、止水ゴム５０は、幅木５の表面５ａ及び床面６に密着する。こうして、シート１０が所定部４１と壁面３ａ，３ｂの所定部４１に隣接する部分とを一体に覆いかつシート下部１３が幅木５の表面５ａ及び床面６に沿って屋外側に向けて延在した状態で、押圧部材３０によりシート１０を幅木５の表面５ａ及び床面６、構造物Ｓの壁面３ａ，３ｂ及び開閉扉４の扉４ａ，４ｂに向けて押圧する。こうして、防水装置１が組み立てられる。
【００４１】
また、防水装置１は、シート１０の上端部を構造物Ｓの開閉扉４の扉４ａ，４ｂに取り付ける取付部材６０を複数備えている。取付部材６０は、シート１０の上端部にシート１０及び開口部Ｏの幅方向に間隔をあけて配置されている。取付部材６０は、開閉扉４の扉４ａ，４ｂに吸着する吸盤６１と、一端が吸盤６１に取り付けられかつ他端がシート１０の上端部に取り付けられたリング部材６２とを備えている。取付部材６０により、シート１０が開閉扉４の各扉４ａ，４ｂに取り付けられることにより、シート１０が垂れ下がることが抑制される。これにより、シート１０の上端を狙いとする水位の位置よりも上方に保持しておくことができる。
【００４２】
本実施形態の防水装置１では、洪水やゲリラ豪雨等によって屋外の水嵩が増すと、まずシート下部１３が水に接する。水圧によってシート下部１３は床面６に向けて押圧されて、止水ゴム５０が幅木５の表面５ａ及び床面６に密着する。これにより、シート下部１３と幅木５の表面５ａ及び床面６との間から水が浸入することが抑制される。また、押圧部材３０によってシート下部１３が床面６に向けて押圧されていることで、低水位の場合であってもシート下部１３と床面６との隙間を介した浸水がより確実に抑制される。また、押圧部材３０は、水流等によってシート下部１３が浮き上がることを抑制することが可能である。シート１０は、水圧によって所定部４１と、所定部４１に隣接する床面６とを一体に覆うことができる。
【００４３】
また、シート１０において、開閉扉４の各扉４ａ，４ｂや壁面３ａ，３ｂを覆う部分は、水圧によって開閉扉４の各扉４ａ，４ｂや壁面３ａ，３ｂに向けて押圧される。これにより、シート１０は、開閉扉４の所定部４１と、所定部４１に隣接する壁面３ａ，３ｂとを一体に覆うことができる。シート１０は、水圧によって押圧されることにより、開閉扉４の各扉４ａ，４ｂや壁面３ａ，３ｂ等に密着し、シート１０と開閉扉４の各扉４ａ，４ｂ、壁面３ａ，３ｂとの間に水が浸入することを抑制することができる。
【００４４】
また、シート１０は、水圧によって開閉扉４の各扉４ａ，４ｂ間や各扉４ａ，４ｂと壁面３ａ，３ｂとの間の隙間を塞ぐことで、これらの隙間を介した屋内側への浸水を抑制することができる。シート１０は、水圧によって開閉扉４の所定部４１と、所定部４１に隣接する幅木５の表面５ａ及び床面６との隙間を塞ぐことで、開閉扉４と床面６との隙間を介した屋内側への浸水を抑制することができる。
【００４５】
シート１０は、水圧によって開閉扉４の各扉４ａ，４ｂ等に対して押圧されるため、水位が増加するに従い開閉扉４の各扉４ａ，４ｂ等に対する密着性が増し、また各隙間を閉塞する閉塞性が増す。よって、シート１０は、水位に応じて遮水性能が増し、適切に屋内側への浸水を抑制することができる。
【００４６】
また、シート１０は、予めたるみを有した状態で保持部材２０によって保持されているため、水位の増加に応じて水圧によって速やかに開閉扉４の各扉４ａ，４ｂや壁面３ａ，３ｂ等に密着することが可能である。また、たるみを有しているため、開閉扉４の各扉４ａ，４ｂ間の隙間など、各部の隙間の形状に対応して適切に変形・屈曲し、各隙間を速やかにかつ適切に閉塞することができる。
【００４７】
本実施形態の防水装置１によれば、シート１０の幅方向の全長に亘って、シート１０のシート下部１３の幅木５の表面５ａ及び床面６に対向する面に止水ゴム５０を設けている。このために、防水装置１は、床面６などに凹凸があったり、床面６とシート１０のシート下部１３との間に異物が存在しても、水圧や押圧部材３０によりシート下部１３が床面６などに押圧されると、止水ゴム５０が凹凸や異物の形状に応じて変形して、止水ゴム５０がシート下部１３と床面６との間への浸水を抑制できる。したがって、防水装置１は、シート下部１３と床面６との間からの浸水を抑制することができる。
【００４８】
また、防水装置１は、止水ゴム５０が心材１１よりも下方に配置されるので、止水ゴム５０が床面６とシート下部１３との間に確実に配置され、シート下部１３と床面６との間からの浸水を確実に抑制できる。
【００４９】
さらに、防水装置１は、心材１１の下端部１１ａが止水ゴム５０上に配置されているので、保持部材２０と床面６との間を、互いに重なる心材１１の下端部１１ａと止水ゴム５０とで埋めることができる。したがって、防水装置１は、シート下部１３と床面６との間からの浸水をより確実に抑制できる。
【００５０】
また、防水装置１は、シート１０が透明又は半透明な樹脂で構成されているので、屋内側から、開閉扉４の扉４ａ，４ｂ及びシート１０を通して、増水時の水位などを視認することができる。また、防水装置１は、シート１０が透明又は半透明な樹脂で構成されているので、仮に、開閉扉４の扉４ａ，４ｂとシート１０との間に水が浸入しても、屋内又は屋外から侵入した水の水位や水の浸入経路を視認することができる。
【００５１】
［変形例］
実施形態の変形例について説明する。図５は、実施形態の変形例に係る開口部の防水装置を示す斜視図、図６は、図５中のＶＩ−ＶＩ線に沿う断面図である。図５及び図６において、実施形態と同一部分には、同一符号を付して説明を省略する。
【００５２】
変形例の防水装置１−１では、図５に示すように、シート１０の幅が開口部Ｏの幅Ｗよりもはるかに大きく、シート１０を開口部Ｏに設置する場合に、開閉扉４の扉４ａ，４ｂ及び床面６等上でシート１０を幅方向に折り返している。変形例の防水装置１−１では、シート１０の幅が開口部Ｏの幅Ｗよりもはるかに大きくても、シート１０と壁面３ａ，３ｂ及び床面６などとの間に水が浸入可能な隙間を形成しないようにしている。変形例の防水装置１−１では、図６に示すように、一方の扉４ａ及び床面６上でシート１０を２回折って、扉４ａなどの上に三層のシート１０を重ねている。また、変形例の防水装置１−１のシート１０は、開閉扉４などの上に複数層重ねられても、屋内外からシート１０と開閉扉４との間に浸入した水を視認できる程度に透明な樹脂で構成されている。
【００５３】
変形例の防水装置１−１によれば、前述した実施形態と同様にシート下部１３に止水ゴム５０を取り付けているので、床面６とシート下部１３との間からの浸水を抑制でき、シート１０が透明な樹脂で構成されているので、仮にシート１０と開閉扉４との間に水が浸入しても水の水位や浸入系路を視認することができる。また、防水装置１−１のシート１０の幅を開口部Ｏの幅Ｗよりもはるかに大きくしても、シート１０と床面６との間からの浸水を抑制できるので、さまざまな幅の開口部Ｏからの浸水を抑制することができる。
【００５４】
なお、実施形態及び変形例では、防水装置１，１−１を組み立てる場合、壁面３ａ，３ｂに保持部材２０を取り付けるようにしたが、本発明では、予め、壁面３ａ，３ｂに保持部材２０を取り付けておいても良い。また、防水装置１，１−１を組み立てる時に壁面３ａ，３ｂに保持部材２０を取り付ける場合には、予め壁面３ａ，３ｂの保持部材２０を取り付ける位置に、保持部材２０の位置を示す印（マーキングともいう）を設けても良い。
【００５５】
また、実施形態及び変形例では、開閉体として開閉扉４を示しているが、本発明では、開閉体として、複数のスラットを開閉方向に連接して形成されて昇降動作などの移動することで開口部Ｏを開閉するシャッターカーテンを用いても良い。この場合、シート１０の上端部を構造物Ｓの開閉体に取り付けるために、マグネットを用いても良い。
【００５６】
上記の実施形態および変形例に開示された内容は、適宜組み合わせて実行することができる。
【符号の説明】
【００５７】
１，１−１  開口部の防水装置
４  開閉扉（開閉体）
５  幅木
５ａ  表面（床面）
６  床面
１０  シート
１１  心材
１１ａ  下端部
１３  シート下部（鉛直方向下端部）
２０  保持部材
４１  所定部
５０  止水ゴム
Ｏ  開口部
Ｓ  構造物
【図１】
2014177804.tif 000003
【図２】
2014177804.tif 000004
【図３】
2014177804.tif 000005
【図４】
2014177804.tif 000006
【図５】
2014177804.tif 000007
【図６】
2014177804.tif 000008